(57)【要約】
【課題】　床面に石質部材を用いる二重床構造であって、現場において簡単に施工することができるとともに、充分な耐荷性及び耐久性を有するものとする。
【解決手段】　床部材２は、鋼板材を曲げ加工して形成された鋼支持部材２１と、この鋼支持部材に貼着されて床面を形成する石質材２２とを備える。鋼支持部材は、水平な踏面部２３と、該踏面部の両側縁に沿って連続するように下方に折り曲げられた二つの平行な補剛部２４，２５と、該二つの補剛部の下端から水平に同じ方向へ折り曲げられた二つの水平支持部２６，２７とを備える。外側へ折り曲げられた第１の水平支持部２６は、床基盤から立設されたボルト１１とこれに螺号されたナットとによって高さを調整して固定される。隣接する他の床部材の内側に折り曲げられた第２の水平支持部２７は、固定された第１の水平支持部上に重ね合わせて支持される。
【選択図】　　図１
0003100150.tif 000002
【実用新案登録請求の範囲】
【請求項１】
床基盤の上面との間に空間を設けて複数の床部材が水平に支持される二重床構造であって、
　前記床部材は、鋼板材を曲げ加工して形成された鋼支持部材と、この鋼支持部材に貼着されて床面を形成する石質材とを備え、
　前記鋼支持部材は、　水平な踏面部と、該踏面部の両側縁に沿って連続するように下方に折り曲げられた二つの平行な補剛部と、該二つの補剛部の下端から水平に同じ方向へ折り曲げられた二つの水平支持部とを備え、　水平支持部は、それぞれが隣接する他の床部材の水平支持部と重ね合わせて支持されるものであり、
　前記石質材は、前記鋼支持部材の踏面部の上に貼着されるものであることを特徴とする床構造。
【請求項２】
　前記水平支持部は、前記床基盤から立設されたボルトとこのボルトに螺合されたナットによって支持され、該ナットの位置によって高さが調整されるものであることを特徴とする請求項１に記載の床構造。
【請求項３】
　二つの前記水平支持部のうち、前記踏面部より外側に折り曲げられた第1の水平支持部は、前記ボルトに螺合された複数のナットに挟み込むように固定され、
　前記踏面部の下側へ折り曲げられた第2の水平支持部は、隣接して設けられた他の床部材の水平支持部上に載置され、該水平支持部を介して支持されるものであることを特徴とする請求項２に記載の床構造。
【請求項４】
　互いに隣接して配列される複数の床部材のうち、一方の端部に配置される端部用の床部材が、鋼板材を曲げ加工して形成された鋼支持部材と、この鋼支持部材に貼着されて床面を形成する石質材とを備え、
　該鋼支持部材は、水平な踏面部と、該踏面部から下方に折り曲げられた二つの平行な補剛部と、この二つの補剛部の下端から水平にそれぞれ外側へ張り出すように折り曲げられた水平支持部とを備え、
　これらの水平支持部がそれぞれ床基盤から立設されたボルトによって支持されるものであり、
　この端部用の床部材と隣接して配置される床部材の前記第２の水平支持部は、前記端部用の床部材のいずれか一方の水平支持部の上に載置されるものであることを特徴とする請求項３に記載の床構造。
【考案の詳細な説明】
【技術分野】
【０００１】
　本考案は、駅の構内、地下道、公共の通路、建築物等における石貼りの床構造に関する。
【背景技術】
【０００２】
　駅構内や地下道等において石貼りの床は、高級感があって美観に優れており、多く用いられる傾向にある。このような床構造には、従来多くの場合いわゆる湿式工法と称される工法が採用されている。これは、コンクリートスラブ上にモルタルを敷設し、この上に石質の床材等を接着するものである（特許文献１）。なお、貼り付ける石質の床材は、天然石の他、人造大理石のような人工石、陶板、化粧仕上げを施したコンクリート板、モルタル板等が用いられる。
【０００３】
　一方、鉄筋コンクリートや鉄骨造の商業ビルやホテル等でも石貼りの床が多く用いられる。このような建築物では、床スラブの上面との間に空隙を設けて床材を支持する二重床構造が採用されることがある（特許文献２、特許文献３）。この構造は、床スラブの上に多くの支持脚を立設し、この上に床下地材を支持する。そして、この上に石質の床材を接着剤等によって貼り付けたり、床下地材に石質の床材を一体しておくもので、乾式工法と称されている。このような床構造では、短期間での施工が可能になるとともに、床スラブと床下地材との間の空間を、配管スペースや電力ケーブル・通信ケーブルの配置スペースとして用いることができる。
【特許文献１】特開平８−１７７２０９号公報
【特許文献２】特開平５−３１１８５６号公報
【特許文献３】特開２００３−９７０２６号公報
【考案の開示】
【考案が解決しようとする課題】
【０００４】
　しかしながら、上記のような従来の石貼りの床構造では、次に示すように解決が望まれる課題がある。
【０００５】
　コンクリートスラブ上にモルタルで石材等を接着する湿式工法では、石質材の配置後、モルタルが硬化するまで床面上を使用することができず、工期も長くなってしまう。また、補修や改修を行うときには、現場で石質の床材及びその下側のモルタルを壊砕する必要があり、多くの作業が必要になるとともに多くの廃材が発生する。また、地下通路等で地下水の漏出があると床面上を流れて汚れが生じてしまう。
【０００６】
　一方、従来の二重床構造では、上記のような湿式工法の問題点は解消されるが、床スラブ上に多くの支持脚を立設するのに多くの作業を要し、施工の費用がかさむことになる。また、支持脚上の床下地材が、床面上の荷重によってたわむと、この上に貼り付けられている石質の床材がたわみに追従できず、割れてしまうおそれがある。
【０００７】
　本考案は、上記のような問題点に鑑みてなされたものであり、その目的は、床面に石質部材を用いる床構造であって、現場において簡単に施工することができるとともに、充分な耐荷性及び耐久性を有する床構造を提供することである。
【課題を解決するための手段】
【０００８】
　上記のような問題点を解決するために、請求項１に係る考案は、　床基盤の上面との間に空間を設けて複数の床部材が水平に支持される二重床構造であって、　前記床部材は、鋼板材を曲げ加工して形成された鋼支持部材と、この鋼支持部材に貼着されて床面を形成する石質材とを備え、　前記鋼支持部材は、　水平な踏面部と、該踏面部の両側縁に沿って連続するように下方に折り曲げられた二つの平行な補剛部と、該二つの補剛部の下端から水平に同じ方向へ折り曲げられた二つの水平支持部とを備え、　水平支持部は、それぞれが隣接する他の床部材の水平支持部と重ね合わせて支持されるものであり、　前記石質材は、前記鋼支持部材の踏面部の上に貼着されるものである床構造を提供する。
【０００９】
　この床構造は、鋼板材と石質材とからなる床部材を予め製作しておき、これらを現場で所定の位置に配置することによって形成することができ、工期を短くすることができる。そして、床部材が床基盤上に支持されるので地下通路等において漏水等があっても、漏れ出した水は床部材の下側を流れ、床面は乾いた状態で汚れ等が生じるのを防止することができる。
【００１０】
　また、床部材の鋼支持部材は、水平な踏面部の両縁部で下方に折り曲げられ、さらに下端部から水平に折り曲げられた水平支持部を備えており、この形状が両縁に沿って連続しているので、この鋼板材を折り曲げた部分が桁状となって大きな曲げ剛性を有するものとなる。このため、この床部材は、荷重が作用したときのたわみが小さくなり、貼り付けられた石質材が割れるのが防止され、耐久性も向上する。また、床部材の曲げ剛性が大きくなっているので、支持する点の間隔をあけてもたわみは小さく、床部材を支持する構造を簡略化することができる。
【００１１】
　請求項２に係る考案は、請求項１に記載の床構造において、　前記水平支持部は、前記床基盤から立設されたボルトとこのボルトに螺合されたナットによって支持され、該ナットの位置によって高さが調整されるものとする。
【００１２】
　この床構造では、床基盤の所定位置にボルトを立設しておき、床部材の水平支持部に設けたボルト孔に挿通することによって、床部材を所定位置に簡単に設置することができる。また、ボルトに螺合したナットを回転することによって簡単に高さを調整することができ、高い精度で施工することが可能となる。
【００１３】
　請求項３に係る考案は、請求項２に記載の床構造において、　二つの前記水平支持部のうち、前記踏面部より外側に折り曲げられた第1の水平支持部は、前記ボルトに螺合された複数のナットに挟み込むように固定され、　前記踏面部の下側へ折り曲げられた第2の水平支持部は、隣接して設けられた他の床部材の水平支持部上に載置され、該水平支持部を介して支持されるものとする。
【００１４】
　この床構造では、第１の水平支持部が、踏面部及び補剛部より外側に曲げられているので、この第１の水平支持部をボルト及びナットで固定する時に、上方に障害となるものがなく容易にナットの締め付け作業等を行うことができる。そして、隣接する床部材の第２の水平支持部は、上記第１の水平支持部の固定作業が終了した後に、この上に載置するだけで正確に高さが調整される。さらに、この床部材の第１の水平支持部をボルトとナットで固定し、その上に隣接する床部材の第２の水平支持部を載置して順次に設置してゆくことにより、迅速な施工ができる。また、ボルトの頭部は順次隣接する床部材によって覆われ、頭部が床上から見えない状態に仕上げることができる。
【００１５】
　請求項４に係る考案は、請求項３に記載の床構造において、　互いに隣接して配列される複数の床部材のうち、一方の端部に配置される端部用の床部材が、鋼板材を曲げ加工して形成された鋼支持部材と、この鋼支持部材に貼着されて床面を形成する石質材とを備え、　該鋼支持部材は、水平な踏面部と、該踏面部から下方に折り曲げられた二つの平行な補剛部と、この二つの補剛部の下端から水平にそれぞれ外側へ張り出すように折り曲げられた水平支持部とを備え、　これらの水平支持部がそれぞれ床基盤から立設されたボルトによって支持されるものであり、　この端部用の床部材と隣接して配置される床部材の前記第２の水平支持部は、前記端部用の床部材のいずれか一方の水平支持部の上に載置されるもの
とする。
【００１６】
　床部材の水平支持部の一方が、上記のように踏面部の下側へ曲げられたものであると、最初に設置する床部材は踏面部の下側で高さを調整し、固定する必要がある。これに対し、本請求項の床構造では、一方の端部に配置される床部材は二つの補剛部から外側に水平支持部が形成されており、双方について高さを容易に調整して設置することができる。したがって、最初にこの床部材を設置し、他の床部材は請求項３に記載のように一方が外側、他方が踏面部の下側に張り出した水平支持部を有するものとして、これらを順次に隣接するように設置することによって迅速な施工が可能となる。なお、最初に設置した床部材の一方の水平支持部を固定するボルトについては、この上を覆うパネルを別途に設けることによって良好な仕上がりにすることができる。
【考案の効果】
【００１７】
　以上説明したように、本考案の床構造では、予め製作された床部材を現場で迅速に設置することができ、工期を短くすることができるとともに、地下通路等において漏水等があっても、床面は乾いた状態で清浄に維持することができる。
【００１８】
　また、床部材は平行な両縁部が桁状となって大きな曲げ剛性を有するものとなっているので、荷重が作用したときのたわみが小さくなり、貼り付けられた石質材が割れるのが防止され、耐久性も向上する。また、支持するボルトの間隔をあけてもたわみは小さく、床部材を支持する構造を簡略化することができる。
【考案を実施するための最良の形態】
【００１９】
　以下、本願に係る考案の実施の形態を図に基づいて説明する。
【００２０】
　図１、図２及び図３は、本考案の一実施形態である床構造の断面図であり、図４は、この床構造の概略平面図である。そして、図１、図２及び図３は、それぞれ図４中のＡ−Ａ線、Ｂ−Ｂ線、Ｃ−Ｃ線における断面を示している。
【００２１】
　この床構造は、地下鉄等における地下通路に適用された例を示すものであり、鉄筋コンクリートからなる床基盤１上に、床部材２，３，４を配列して床面を構成したものである。そして、床部材２，３，４と床基盤１との間に空隙５が設けられた２重床構造となっている。
【００２２】
　上記床部材２，３，４は、図４に示すように水平となる上面つまり床面が長方形となっており、複数が小さな間隙をおいて配列されるものであり、３種類の床部材が用いられている。これらは、この床構造が設けられる範囲の中央部で最も数多く使用される標準タイプの第１の床部材２と、床の敷設範囲の側縁から２列目となる長辺方向の配列に使用される第２の床部材３と、両側の側縁に沿って配置される第３の床部材４であり、いずれも鋼板材を加工して形成された鋼支持部材２１，３１，４１と、この上に貼着された石板２２，３２，４２とで構成されている。この石板は、自然石の他、人工石、コンクリート板、モルタル板、陶板等であってもよい。
【００２３】
　上記第１の床部材２は、図５に示すように、鋼支持部材２１が矩形の鋼板材を曲げ加工して形成されており、水平に支持される長方形の踏面部２３と、この長辺に沿って下方に折り曲げられた補剛部２４，２５と、この補剛部の下部で水平に曲折された水平支持部２６，２７とを有している。上記補剛部２４，２５及び水平支持部２６，２７は、踏面部２３の平行な二つの長辺に沿って連続するようにそれぞれ設けられており、一方の水平支持部すなわち第１の水平支持部２６は鉛直な補剛部２４から踏面部２４の外側に曲折されている。また、他方の水平支持部すなわち第２の水平支持部２７は、二つの補剛部が対向する内側に曲折され、踏面部２３の下側に位置している。
【００２４】
　第２の床部材３は、第１の床部材２と同様に、鋼支持部材３１が鋼板材を曲げ加工して形成されており、踏面部３３、補剛部３４，３５及び水平支持部３６，３７を有している。ただし、水平支持部３６，３７は、二つの補剛部３４，３５からそれぞれ外側に張り出すように曲折されている。また、第３の床部材４は、鋼支持部材４１が鋼板材を箱状に加工したものとなっており、その内側に石板４２をはめ込んだものである。
【００２５】
　一方、鉄筋コンクリートの床基盤１には、各床部材２，３，４を支持するために支持ボルト１１が所定の位置に立設されている。この支持ボルト１１は、図６に示すように床基盤１に穿設された穴１２内にエポキシ樹脂１３を充填して固着したものである。
【００２６】
　上記支持ボルト１１には、図６に示すように緩み防止機構を有する二重ナット１４（商品名：ハードロックナット、ハードロック工業株式会社製）が螺合され、その上にワッシャー１５及び角座金１６を介挿して第１の床部材２又は第２の床部材３の水平支持部２６、３６を支持するものとなっている。上記二重ナット１４は二つのナットを重ねて支持ボルト１１に螺合するものであり、互いに締め合わせることによって一方のナットの一部が他方のナットと支持ボルト１１との間にくさびのように押し込まれ、ナットの内面と支持ボルト１１の側面とが強く押し付けられるものである。これにより相互間に大きな摩擦力が作用し、相互間の回転が拘束されるものとなっている。この二重ナット１４の高さ位置を正確に調整し、二つのナットを互いに締め合わせることによって水平支持部２６、３６の高さを正確に調整することができる。
【００２７】
　第１の床部材２又は第２の床部材の水平支持部２６、３６，３７には、図５に示すようにボルト孔２６ａが設けられており、支持ボルト１１はこのボルト孔２６ａに挿通され、その周辺部下面に角座金１６が当接される。水平支持部２６が装着された上からはナット１７が装着され、これを締め付けて二重ナット１４との間に水平支持部２６を固定するものとなっている。また、支持ボルト１１の先端にはナットの緩みを防止するためのスプリング１８（商品名：ＨＬスプリング、九州ハードロック工業株式会社）が装着されている。このスプリング１８は、支持ボルト１１の螺条に沿って締め付けるように装着されるものであり、尖った先端が支持ボルト１１とナット１７との遊間に入り込み、くさびのように機能してナット１７の緩みを防止するものである。
【００２８】
　第１の床部材２が備える第２の水平支持部２７つまり二つの補剛部が対向する内側に曲折された水平支持部は、隣接する床部材の外側に張り出した水平支持部２６、３６の上に支持される。つまり、支持ボルト１１及び二重ナット１４によって支持された第１の水平支持部２６の上にゴム製の緩衝材１９を介して載置され、床部材の重量及び踏面上の荷重を、隣接する床部材の水平支持部２６及び支持ボルト１１を介して床基盤１で支持するものとなっている。
【００２９】
　また、第３の床部材４は、図６に示すものと同じ支持ボルト５１で固定支持された受け部材５２の上に載置される。この受け部材５２は鋼アングル材を組み合わせて形成されており、平坦な底面を有する第３の床部材４を支持するようになっている。
【００３０】
　この床構造は、次のように施工される。
【００３１】
　まず、所定の位置に複数の支持ボルト１１が立設され、第２の床部材３が所定の位置に配設される。第２の床部材３は両側に水平支持部３６，３７が張り出しており、これに設けられたボルト孔に支持ボルト１１が挿通され、二重ナット１４及びナット１７によって正確な高さに固定される。これにより第２の床部材は、両側縁の補剛部３４，３５に沿って複数の位置で支持される。
【００３２】
　続いてこの第２の床部材３と隣接する第１の床部材２が配設される。第１の床部材２の内側に曲折された第２の水平支持部２７は、第２の床部材３の既に固定された水平支持部３６上に、緩衝材１９を介して載置される。このとき第２の水平支持部２７には、図５に示すように、支持ボルト１１の位置と対応するように切り欠き部２７ａが設けられており、第２の床部材３を固定する支持ボルト１１と干渉しないようになっている。そして、第２の床部材３の水平支持部３６は高さが正確に調整されているので、この上に載置された第１の床部材２の一方の側縁も高さが正確に設定される。一方、この第１の床部材２の他方の側部は、第1の水平支持部２６が外側に張り出しており、支持ボルト１１によって正確な高さに固定される。そしてこの第１の床部材２に隣接するように他の第１の床部材２’が配置され、順次床部材が設置される。
【００３３】
　なお、支持ボルト１１の下部は、二重ナット１４とともに無収縮モルタル２０で埋め込まれ、荷重の一部を無収縮モルタル２０が負担するものとなる。
【００３４】
　その後、第１の床部材２及び第２の床部材３が設置された範囲の端部には、受け部材用に立設された支持ボルト５１に受け部材５２が正確に高さ調整して固定され、この上に第３の床部材４が配列される。第３の床部材４は第１の床部材２又は第２の床部材３と隣接し、第１の床部材２又は第２の床部材３を固定する支持ボルト１１の頭部を覆うとともに、床面の側縁部に設けられた縁石５３と近接するように配置される。
【００３５】
　このように構成された床構造では、現場において高さを正確に調整して床部材２，３，４を設置することができるとともに、第１の床部材２及び第２の床部材３には長辺に沿って補剛部及び水平支持部が設けられ、曲げ剛性が大きくなっているのでたわみが少なく、石板２２，３２が割れたり損傷することがなく、耐久性に優れた床構造となる。
【図面の簡単な説明】
【００３６】
【図１】本願に係る考案の一実施形態である床構造を示す断面図であって、図４中のＡ−Ａ線における断面図である。
【図２】図４中のＢ−Ｂ線における断面図である。
【図３】図４中のＣ−Ｃ線における断面図である。
【図４】本願に係る考案の一実施形態である床構造の概略平面図である。
【図５】図１から図４までに示す床構造で用いられる床部材の概略斜視図である。
【図６】図１から図４までに示す床構造の床部材を支持する構造を示す拡大断面図である。
【符号の説明】
【００３７】
１：床基盤，　　２：第１の床部材，　　３：第２の床部材，　　４：第３の床部材，　　１１：支持ボルト，　　１２：ボルト孔，　　１３：エポキシ樹脂，　　１４：二重ナット，　　１５：ワッシャー，　　１６：角座金，　　１７：ナット，　　１８：スプリング，　　１９：緩衝材，　　２０：無収縮モルタル，　　２１：第１の床部材の鋼支持部材，　　２２：石板，　　２３：踏面部，　　２４，２５：補剛部、　　２６：第１の水平支持部，　　２７：第２の水平支持部，　　３１：第２の床部材の鋼支持部材，　　３２：石板，　　３３：踏面部，　　３４，３５：補剛部、　　３６：第１の水平支持部，　　３７：第２の水平支持部，　　４１：第３の床部材の鋼支持部材，　　４２：石板，　　５１：支持ボルト，　　５２：受け部材，　　５３：縁石
【図１】
0003100150.tif 000003
【図２】
0003100150.tif 000004
【図３】
0003100150.tif 000005
【図４】
0003100150.tif 000006
【図５】
0003100150.tif 000007
【図６】
0003100150.tif 000008